(57)【特許請求の範囲】
【請求項１】
シート本体をフロア上から跳ね上げる動作によって前記シート本体の底部に立設された支持板が畳み込まれる構成とされた車両用シートであって、
前記シート本体をフロア上に跳ね上げ回転可能に連結するリンク機構と、
該リンク機構による前記シート本体の跳ね上げ時に前記シート本体との間に相対的な離間移動が生じるベース部位と前記支持板との間に架設されたワイヤーと、
該ワイヤーを前記シート本体内で屈曲させた配索状態にガイドするガイド構造と、を有し、
前記ガイド構造は、前記シート本体に固定された定位置で前記ワイヤーを屈曲させた状態にガイドする固定ガイドと、前記シート本体に弾性支持された状態で前記ワイヤーを前記固定ガイドによる屈曲方向とは反対方向に屈曲させた状態にガイドする可動ガイドと、前記ワイヤーを前記固定ガイドによる屈曲方向と同じ方向に屈曲させた状態にガイドすることで前記可動ガイドにおける前記ワイヤーの屈曲角度を増大させる追加ガイドと、を有し、前記シート本体の跳ね上げにより前記支持板が前記ワイヤーにより引き込まれて畳み込まれ、前記ワイヤーの引かれ過ぎた時の操作移動量が前記可動ガイドの弾性移動により吸収される構成となっていることを特徴とする車両用シート。
【請求項２】
請求項１に記載の車両用シートであって、
前記固定ガイドが前記支持板に近い箇所に設定され、前記可動ガイドが前記リンク機構に近い箇所に設定され、前記追加ガイドが前記可動ガイドと前記固定ガイドとの間の箇所に設定されていることを特徴とする車両用シート。
【請求項３】
請求項２に記載の車両用シートであって、
前記追加ガイドと前記固定ガイドとが、互いに別体で離間して配置された構成であることを特徴とする車両用シート。
【発明の詳細な説明】
【技術分野】
【０００１】
本発明は、車両用シートに関する。詳しくは、シート本体をフロア上から跳ね上げる動作によって、シート本体の底部に立設された支持板が畳み込まれる構成とされた車両用シートに関する。
【背景技術】
【０００２】
従来、車両用シートにおいて、その着座使用しない不使用時に、シート本体を折り畳んだ状態にして横向きに跳ね上げて格納できるようになっているものが知られている（特許文献１）。具体的には、上記車両用シートの格納時には、そのシート本体を横向きに跳ね上げる動作に合わせて、シート本体の底部に立設された立板状の支持板も畳み込まれて、シート本体がコンパクトに格納されるようになっている。
【０００３】
上記支持板をシート本体の跳ね上げに合わせて畳み込む動作は、上記支持板とフロアとの間に架設されたワイヤーが、シート本体の跳ね上げ動作によって支持板を畳み込む方向に牽引することにより行われる。上記ワイヤーは、シート本体の底部に高さ方向に屈曲した配索状態となるようにガイドされて設けられており、そのガイドの一部がバネ弾性により撓めるようになっていることにより、ワイヤーが引かれ過ぎた時の操作移動量がガイドの弾性移動により吸収されるようになっている。
【先行技術文献】
【特許文献】
【０００４】
【特許文献１】特開２００８−１２６７４２号公報
【発明の概要】
【発明が解決しようとする課題】
【０００５】
しかし、上記特許文献１に記載の従来技術では、シート本体のクッション厚が薄く設定されるものでは、ワイヤーを高さ方向に屈曲させるスペースを十分に確保できず、ワイヤーが支持板を畳みきった位置を越えて更に引かれ過ぎた時の操作移動量の吸収を十分に行うことができない。本発明は、上記問題を解決するものとして創案されたものであって、本発明が解決しようとする課題は、シート本体の限られたスペース内で、ワイヤーが必要以上に引かれ過ぎた時の操作移動量の吸収を十分に行えるようにすることにある。
【課題を解決するための手段】
【０００６】
上記課題を解決するために、本発明の車両用シートは次の手段をとる。
第１の発明は、シート本体をフロア上から跳ね上げる動作によって、シート本体の底部に立設された支持板が畳み込まれる構成とされた車両用シートである。この車両用シートは、シート本体をフロア上に跳ね上げ回転可能に連結するリンク機構と、リンク機構によるシート本体の跳ね上げ時にシート本体との間に相対的な離間移動が生じるベース部位と支持板との間に架設されたワイヤーと、ワイヤーをシート本体内で屈曲させた配索状態にガイドするガイド構造と、を有する。ガイド構造は、シート本体に固定された定位置でワイヤーを屈曲させた状態にガイドする固定ガイドと、シート本体に弾性支持された状態でワイヤーを固定ガイドによる屈曲方向とは反対方向に屈曲させた状態にガイドする可動ガイドと、ワイヤーを固定ガイドによる屈曲方向と同じ方向に屈曲させた状態にガイドすることで可動ガイドにおけるワイヤーの屈曲角度を増大させる追加ガイドと、を有する。シート本体の跳ね上げにより、支持板がワイヤーにより引き込まれて畳み込まれ、ワイヤーの引かれ過ぎた時の操作移動量が可動ガイドの弾性移動により吸収される構成となっている。
【０００７】
この第１の発明によれば、追加ガイドの設定により、固定ガイドと可動ガイドとの間の屈曲方向の離間幅を増大させることなく、可動ガイドにおけるワイヤーの屈曲角度を増大させることができる。これにより、ワイヤーが支持板を畳みきった位置を越えて更に引かれ過ぎた時に、可動ガイドが弾性移動することにより吸収することのできる操作移動量を増大させることができる。このように、追加ガイドを設定することにより、シート本体の限られたスペース内で、ワイヤーが必要以上に引かれ過ぎた時の操作移動量の吸収を十分に行えるようにすることができる。
【０００８】
第２の発明は、上述した第１の発明において、固定ガイドが支持板に近い箇所に設定され、可動ガイドがリンク機構に近い箇所に設定され、追加ガイドが上記可動ガイドと固定ガイドとの間の箇所に設定されているものである。
【０００９】
この第２の発明によれば、固定ガイドや可動ガイドを支持板やリンク機構に近い箇所に設定することで、シート本体の跳ね上げに伴うワイヤーの牽引操作移動量を効果的に増大させることができると共に、上記固定ガイドと可動ガイドとの間に追加ガイドを設定するすることで、設定スペースを拡張させることなく追加ガイドを設定することができる。
【００１０】
第３の発明は、上述した第１又は第２の発明において、追加ガイドと固定ガイドとが、互いに別体で離間して配置された構成となっているものである。
【００１１】
この第３の発明によれば、追加ガイドと固定ガイドとを、ワイヤーの各屈曲箇所にそれぞれ互いを離間させた状態で配置することができ、互いの間に障害物が設定されていても、これらを良好に配置設定することができる。
【図面の簡単な説明】
【００１２】
【図１】実施例１の車両用シートの概略構成を示した斜視図である。
【図２】車両用シートを側方へ跳ね上げた状態を示した斜視図である。
【図３】車両用シートの骨格構造を示した斜視図である。
【図４】車両用シートを側方へ跳ね上げる様子を後方側から見た模式図である。
【図５】ワイヤーが牽引操作される様子を示した模式図である。
【発明を実施するための形態】
【００１３】
以下に、本発明を実施するための形態について、図面を用いて説明する。
【実施例１】
【００１４】
始めに、実施例１の車両用シート１の構成について、図１〜図５を用いて説明する。本実施例の車両用シート１は、図１に示すように、３列シートを備えた車両の最後列目の座席用シートとして構成されており、着座乗員の背凭れとなるシートバック１０と、着座部となるシートクッション２０と、を備えている。ここで、シートクッション２０が、本発明の「シート本体」に相当する。上記車両用シート１は、その着座使用時に、シートクッション２０の車両外側（図示左側）の後部に設けられた可撓性帯状の操作ストラップ４０を斜め上方側へ引張ることにより、シートバック１０の背凭れ角度の固定状態が解かれて、その背凭れ角度の調節が行える構成となっている。
【００１５】
具体的には、上記シートバック１０は、図３に示すように、シートクッション２０との間に掛着された渦巻きバネ１１の附勢力によって、常時は前倒れ回転する方向に附勢された状態とされており、その背凭れ角度の固定状態が解かれることにより、上記渦巻きバネ１１の附勢力によって着座乗員の背部に当たる位置まで起こし上げられて、着座乗員の背部を倒し込んだり起こし上げたりする動作に連動して、その背凭れ角度位置が調節されるようになっている。そして、シートバック１０は、上記背凭れ角度の調節後に、操作ストラップ４０の引張り操作をやめることにより、その調節された背凭れ角度位置に固定された状態となる。
【００１６】
また、上記車両用シート１は、図２に示すように、その着座使用しない不使用時に、シートクッション２０の車両内側（図示右側）の後側下部に設けられた解除レバー３１を後方側に引っぱる操作をすることにより、シートバック１０が前に倒し込まれてシートクッション２０の上面部に畳み込まれると共に、この畳み込まれた車両用シート１全体が、車両外側の壁面に向けて横に跳ね上げられてフロアＦ上のスペースを広く空けられる構成となっている。
【００１７】
具体的には、上記車両用シート１は、上記解除レバー３１を操作することにより、先ず、シートバック１０の背凭れ角度の固定状態が解かれて、シートバック１０が図３で前述した渦巻きバネ１１の附勢力によって前方側に倒し込まれる。そして更に、このシートバック１０が倒し込まれる動作に連動して、シートクッション２０の底部に連結された立板状の支持板２１の底部に設けられた前後一対の各ロック装置２１Ａが、フロアＦ上に設けられた各ストライカＦｓとのロック状態からそれぞれ外される。これにより、車両用シート１は、そのシートクッション２０の車両外側の側部とフロアＦとを連結している４節リンク機構５０のまわりに側方へ跳ね上げられる状態となり、この４節リンク機構５０に設けられた附勢バネ５０Ａの附勢力によって側方へ軽い力で跳ね上げられて格納されるようになっている。ここで、４節リンク機構５０が、本発明の「リンク機構」に相当する。
【００１８】
そして、上記車両用シート１の跳ね上げ移動に伴って、上述した支持板２１がシートクッション２０の底部に畳み込まれて、車両用シート１が車両外側の壁面に沿ってコンパクトに畳み込まれた状態（格納状態）となる（図２参照）。上記支持板２１をシートクッション２０の底部に畳み込む操作は、支持板２１とフロアＦとの間に架設されたワイヤー６０が、車両用シート１が跳ね上げられる移動により牽引操作されて、支持板２１を畳み込む方向に引き込むことにより行われる。なお、上述した支持板２１の下部に設けられた前後一対のロック装置２１Ａの構成、及びこれらが上述したシートバック１０が前倒しされる動きに連動してフロアＦ上の各ストライカＦｓとのロック状態から外される各構成については、特開２００９−１７９０９１号公報等の文献に開示されたものと同じものとなっているため、これらの具体的な説明は省略することとする。
【００１９】
以下、上述した車両用シート１の各部の構成について、詳しく説明する。図１及び図３に示すように、シートバック１０は、その左右両サイドの下端部が、シートクッション２０の左右両サイドの後端部に対して、それぞれ、回転止め可能な回転軸装置として機能するリクライニング装置３０を間に介して連結されている。詳しくは、上記各リクライニング装置３０は、シートバック１０の骨格を成す逆Ｕ字状に組まれたバックフレーム１０Ｆの左右両サイドの下端部と、シートクッション２０の骨格を成す平面視逆Ｕ字状に組まれたクッションフレーム２０Ｆの左右両サイドの後端部と、の間にそれぞれ設けられており、これらを互いに同軸上の位置で相対回転可能に軸連結した状態とされている。なお、上述した各リクライニング装置３０によるシートバック１０とシートクッション２０との各連結部は、図１に示すように、シートクッション２０の左右両側部に装着された樹脂シールド２３によってそれぞれ外部から覆い隠された状態とされている。
【００２０】
上述した各リクライニング装置３０は、常時は、それらの内部に備えられた図示しない回転止め構造（ロック構造）により、それぞれ、シートバック１０の回動をロックした状態（回転止め状態）として保持されている。これにより、シートバック１０が、通常時、その背凭れ角度が固定された状態として保持されている。上記各リクライニング装置３０のロック状態は、前述したシートクッション２０の左右各側の後部に設けられた解除レバー３１もしくは操作ストラップ４０のどちらかが操作されることにより解除されるようになっている。
【００２１】
ここで、上述した各リクライニング装置３０は、それらの中心部に、回動により各リクライニング装置３０のロック状態を解除操作することのできる操作軸３３がそれぞれそれらの中心部に軸方向に挿通された状態として組み付けられている。各操作軸３３は、コネクティングロッド３４により互いに一体的となって回動することができるように連結されており、車両外側の操作軸３３に連結された操作ストラップ４０か、もしくは車両内側の操作軸３３に伝達機構３２を介して連結された解除レバー３１か、のどちらかが操作されることにより、両操作軸３３が一斉に軸回動操作されて、各リクライニング装置３０のロック状態が一斉に解除されるようになっている。なお、各リクライニング装置３０の基本構造は、特開２０１１−１１６３０３号公報等の文献に開示されたものと同じものとなっているため、これらの具体的な説明は省略することとする。
【００２２】
次に、４節リンク機構５０の構成について説明する。図３に示すように、４節リンク機構５０は、フロアＦ上に一体的に固定されたベースリンク５１と、ベースリンク５１に一端がそれぞれ回転可能に軸連結された状態として設けられた上下一対の揺動リンク５２，５３と、各揺動リンク５２，５３の他端にそれぞれ回転可能に軸連結された状態として設けられた出力リンク５４と、によって構成されている。上述した各リンク５１〜５４は、前後一対で配設されており、出力リンク５４を構成する各リンク部材は、それぞれ、クッションフレーム２０Ｆの車両外側のサイドフレームに一体的に結合された状態とされている。
【００２３】
上記４節リンク機構５０は、常時は、ベースリンク５１と図示下側の揺動リンク５２との間に掛着された附勢バネ５０Ａの附勢力により、各揺動リンク５２，５３を起こし上げる回転方向に附勢された状態として、上述した各ロック装置２１Ａのロックによりシートクッション２０がフロアＦ上に倒伏した状態となる初期位置の状態に保持された状態とされている。この初期状態では、出力リンク５４が縦向きの状態とされ、上側の揺動リンク５３が水平向きに近い状態とされ、下側の揺動リンク５２が車両内側（図示右側）向きに斜めに垂下した状態とされている。下側の揺動リンク５２は、ベースリンク５１に対して、上側の揺動リンク５３よりも車両内側かつ下側寄りの位置にリンク連結されており、上側の揺動リンク５３よりも長いリンク長を有して形成されている。下側の揺動リンク５２と上側の揺動リンク５３の出力リンク５４に対する連結位置は、上述した初期状態では、互いに高さ方向に並ぶ、ほぼ同じ幅方向位置に設定されている。
【００２４】
上記４節リンク機構５０は、上述した各ロック装置２１Ａのロック状態が解除されることにより、上述した附勢バネ５０Ａの附勢力に従って、各揺動リンク５２，５３を起こし上げる態様でリンク運動し、出力リンク５４をベースリンク５１の直上位置まで起こし上げて水平向きに近い状態とする位置までリンク運動させる。この運動により、車両用シート１がフロアＦ上から車両の壁面に向かって横に跳ね上げられて、車両の壁面に沿うように車両内側に僅かに傾倒したコンパクトな状態となって格納されるようになっている（図４参照）。
【００２５】
次に、上記車両用シート１の跳ね上げ移動によって支持板２１を収納位置まで畳み込む、ワイヤー６０の牽引操作構造について説明する。ここで、上述した支持板２１は、図４に示すように、シートクッション２０の車両内側（図示左側）の底部に、回転軸２１Ｂにより起倒回転可能に軸連結された状態として設けられている。これにより、支持板２１は、シートクッション２０の底部から下方側に起立した展開位置と、シートクッション２０の底部に形成された凹部２２Ａ内に畳み込まれた収納位置と、の間で起倒回転することができる状態とされている。ここで、上記凹部２２Ａは、シートクッション２０の底部に被せ付けられた樹脂カバー２２の一部が凹まされることにより形成されている。
【００２６】
上記支持板２１は、常時は、上記回転軸２１Ｂのまわりに巻装された図示しないバネの附勢力によって、シートクッション２０に対して図示時計回り方向となる展開方向に附勢された状態とされている。これにより、支持板２１は、通常時、シートクッション２０がフロアＦ上に倒伏した状態となる時には、上述した附勢により、シートクッション２０の底部から下方側に真っ直ぐに起立した展開位置の状態とされて保持されており、その下部に設けられた各ロック装置２１ＡをフロアＦ上の各ストライカＦｓにそれぞれロックさせた状態として、シートクッション２０を下方側から支えた状態として保持するようになっている。しかし、上記支持板２１は、上述したシートバック１０の前倒れによって各ロック装置２１Ａのロック状態がそれぞれ解除されて、車両用シート１が横向きに跳ね上げられる時には、この動作に伴って、フロアＦとの間に架設されたワイヤー６０により、シートクッション２０の底部に畳み込まれる収納位置へと引き込まれるようになっている。
【００２７】
上記ワイヤー６０は、図３〜図４に示すように、シートクッション２０の前部寄りの形状内を通って配索されており、その一端６１が支持板２１に回転可能にピン連結され、他端６２が上述した４節リンク機構５０のベースリンク５１と一体的なベース部位５１Ａに回転可能にピン連結された状態とされている。詳しくは、上記ワイヤー６０は、クッションフレーム２０Ｆの前フレーム部に横並び状に設けられた第１固定ガイド７１と、第２固定ガイド７２と、可動ガイド７３と、から成るガイド構造７０により、シートクッション２０内において上下に屈曲された状態にガイドされた状態として張設されている。ここで、第１固定ガイド７１が、本発明の「固定ガイド」に相当し、第２固定ガイド７２が、本発明の「追加ガイド」に相当する。上述した第１固定ガイド７１と第２固定ガイド７２は、上述したクッションフレーム２０Ｆの前フレーム部に対して、それぞれブラケット２０Ｆ１，２０Ｆ２を介して一体的に結合されて固定された状態とされている。
【００２８】
上述した第１固定ガイド７１と第２固定ガイド７２は、それらの図示上方側の湾曲した外周面上にワイヤー６０が上方側から引掛けられて、ワイヤー６０をそれぞれ下方側からガイドする構成となっている。これにより、ワイヤー６０は、上記第１固定ガイド７１と第２固定ガイド７２とによって、それぞれ、これらによりガイドされた部位を起点に下方側に屈曲された状態にガイドされた状態とされている。ここで、上述した第１固定ガイド７１と第２固定ガイド７２のワイヤー６０が引掛けられる外周部は、ワイヤー６０の脱落を防止するために、ワイヤー６０の両サイドを支える部位に立壁面が突出して形成された形状となっている。
【００２９】
上記第１固定ガイド７１は、詳しくは、そのシートクッション２０内におけるシート幅方向の配置が、支持板２１にピン連結されたワイヤー６０の一端６１に近い配置とされており、シート高さ方向の配置が、同ワイヤー６０の一端６１より高い配置とされている。詳しくは、第１固定ガイド７１は、支持板２１の回転軸２１Ｂよりも高い位置に配置されている。このように、第１固定ガイド７１が、ワイヤー６０の一端６１に対して、シート幅方向に近く、高さ方向に高い配置とされていることにより、ワイヤー６０の配索向きが、その牽引操作方向となるシート幅方向に対して垂直となる、シート高さ方向に立ち上げられた態様となっており、ワイヤー６０が他端６２側から牽引される操作移動量によって、支持板２１を収納位置に向けて能率的に高さ方向に引張り込んで移動させられるようになっている。
【００３０】
また、第２固定ガイド７２は、そのシートクッション２０内におけるシート幅方向の配置が、上記第１固定ガイド７１と後述する可動ガイド７３との間のほぼ中間位置の配置とされており、そのシート高さ方向の配置が、上記第１固定ガイド７１と同じ高さの配置となっている。また、可動ガイド７３は、上述したクッションフレーム２０Ｆの前フレーム部に結合されたブラケット２０Ｆ３に対して、連結軸７３Ａにより高さ方向に揺動可能となるように回転可能に軸連結された状態とされている。
【００３１】
詳しくは、上記可動ガイド７３は、上述したブラケット２０Ｆ３に対して、その突設されたピン７３Ｃがブラケット２０Ｆ３に形成された円弧状の長孔２０Ｆ３ａ内に嵌め込まれた状態とされて、その回転によりピン７３Ｃが長孔２０Ｆ３ａ内を移動することができる範囲内において高さ方向に揺動回転可能な状態とされている。上記可動ガイド７３は、常時は、上記ブラケット２０Ｆ３との間に掛着されたスパイラルスプリング７３Ｂの附勢力により、下方側に向けて首振りするように回転附勢された状態とされている。
【００３２】
これにより、可動ガイド７３は、その下方側に首振りする方向に附勢される力によって、その図示下方側の湾曲した外周面上にワイヤー６０が下方側から引掛けられて、ワイヤー６０を上方側から弾性的に押し付けるかたちでガイドする構成となっている。そしてこれにより、ワイヤー６０は、上述した可動ガイド７３によって、そのガイドされた部位を起点に上方側に屈曲された状態にガイドされた状態とされている。ここで、上記可動ガイド７３のワイヤー６０が引掛けられる外周部は、ワイヤー６０の脱落を防止するために、ワイヤー６０の両サイドを支える部位に立壁面が突出して形成された形状となっている。
【００３３】
上記可動ガイド７３は、詳しくは、そのシートクッション２０内におけるシート幅方向の配置が、前述したフロアＦ上のベース部位５１Ａにピン連結されたワイヤー６０の他端６２に近い車両外側寄りの配置とされており、シート高さ方向の配置が、同ワイヤー６０の他端６２よりも低い配置とされている。詳しくは、可動ガイド７３は、上述した第１固定ガイド７１よりも低い位置に配置されている。このように、可動ガイド７３が、ワイヤー６０の他端６２に対して、シート幅方向に近く、高さ方向に低い配置とされていることにより、ワイヤー６０の配索向きが、その牽引操作方向となるシート幅方向に対して垂直となる、シート高さ方向に立ち上げられた態様となっており、車両用シート１がフロアＦ上から跳ね上げられる移動によって、ワイヤー６０が能率的にその一端６１が他端６２側へ引き寄せられる方向に牽引操作されるようになっている。
【００３４】
上記のようにワイヤー６０が配索されていることにより、図４に示すように、車両用シート１が横に跳ね上げられる移動に伴って、ワイヤー６０が他端６２側から引き込まれる態様で牽引されて、支持板２１がシートクッション２０の底部の凹部２２Ａ内に畳み込まれて収納されるようになっている。詳しくは、上記ワイヤー６０の牽引操作による支持板２１の畳み込み操作は、車両用シート１が格納位置まで跳ね上げられる前の段階で完結するようになっており、そこから更に車両用シート１が跳ね上げられることにより、ワイヤー６０が必要以上に牽引操作される余剰な操作移動量は、前述した可動ガイド７３がスパイラルスプリング７３Ｂの附勢力に抗して弾性移動することにより吸収されるようになっている。こうすることにより、車両用シート１を跳ね上げる動作によって、支持板２１を確実に収納位置まで畳み込めるようになっている。
【００３５】
このように、本実施例の構成では、上述した第１固定ガイド７１と可動ガイド７３とが、それぞれ、ワイヤー６０の一端６１と他端６２とに対して、シート幅方向に近く、高さ方向にずらされた配置とされていることにより、車両用シート１が跳ね上げられる移動量によって、支持板２１を効率的に収納方向に移動させられるよう、ワイヤー６０を引張り込めるようになっている。しかし、本実施例の車両用シート１は、前述したように、３列目の座席用シートとして構成されており、シートバック１０やシートクッション２０の厚みが薄い簡素なクッション構造に形成されている。
【００３６】
そのため、本来ならば、上述した第１固定ガイド７１と可動ガイド７３との間の高さ位置関係を更に離間させる方向にずらして、この間に張られたワイヤー６０の配索向きを更にシート高さ方向に立ち上げて、ワイヤー６０の牽引能率を更に向上させることが好ましいが、上述したように、シートクッション２０の厚みが薄いことによるスペース上の制約により、高さ方向にずらせる許容幅も狭められており、高さ方向に十分に離間させられない構成となっている。そこで、本実施例では、上記第１固定ガイド７１と可動ガイド７３との間に、これらの間に張られたワイヤー６０の配索向きをシート高さ方向に立ち上げるための第２固定ガイド７２が設けられている。これにより、図５に示すように、第１固定ガイド７１と可動ガイド７３との間のシート高さ方向（屈曲方向）の離間幅を増大させることなく、可動ガイド７３におけるワイヤー６０の屈曲角度θが増大された構成となっている。
【００３７】
したがって、上記構成により、ワイヤー６０が支持板２１を畳みきった位置を越えて更に引かれ過ぎた時にも、可動ガイド７３が弾性移動して吸収することのできるワイヤー６０の操作移動量も増大させることができる。このように、第２固定ガイド７２を設定することにより、シートクッション２０内の限られたスペース内で、ワイヤー６０が必要以上に引かれ過ぎた時の操作移動量の吸収を十分に行えるようにすることができる。また、本実施例の構成では、上記横並びに設けられる第１固定ガイド７１と第２固定ガイド７２とは、互いに別体で離間して配置された構成となっている。したがって、これらの間にクッションパッド２０Ｐを面で支えるコンターマット２０Ｍ（図３参照）をクッションフレーム２０Ｆに対して吊持させるための支持ワイヤー２０Ｗ等の何らかの障害物が設定されるものにおいても、ガイド構造７０を良好に設定することができる（図４参照）。
【００３８】
また、図３に示すように、第１固定ガイド７１、第２固定ガイド７２及び可動ガイド７３が、それぞれ、クッションフレーム２０Ｆの前フレーム部に設けられていることにより、シートクッション２０にかかる着座荷重が、これらにかかりにくくなっている。すなわち、シートクッション２０にかかる着座荷重は、主として、乗員の尻下部を支える後方部箇所に大きくかかるようになっており、前フレーム部が配設されているような前部箇所にはかかりにくくなっていることから、着座乗員が上記ガイド構造７０による異物感を感じにくくなっており、良好な着座感を担保できるようにガイド構造７０を設定することができる。
【００３９】
以上、本発明の実施形態を１つの実施例を用いて説明したが、本発明は上記実施例のほか各種の形態で実施することができるものである。例えば、上記実施例では、本発明の「追加ガイド」に相当する構成として、第２固定ガイド７２を例示したが、「追加ガイド」は、可動ガイドと同様に、弾性移動可能な可動式のガイドであってもよい。また、追加ガイドの設定箇所は、固定ガイドと可動ガイドとの間でなくてもよく、追加ガイドと固定ガイドとの間に可動ガイドを挟む配置としたものであってもよい。また、固定ガイドと追加ガイドとが一体で構成されたものであってもよい。
【００４０】
また、車両用シートをフロア上から跳ね上げるリンク機構は、４節リンク機構でなくてもよく、単軸まわりに跳ね上げるリンク機構であってもよい。また、ワイヤーの他端が連結されるベース部位は、シート本体の跳ね上げ時にシート本体との間に相対的な離間移動が生じる部位であればよく、必ずしもフロアと一体的な部位でなくても構わない。例えば、上記実施例で示した構成でいえば、どちらか一方の揺動リンクにベース部位を設定してもよい。
【００４１】
また、上記実施例では、車両用シートが畳み込まれた状態で側方へ跳ね上げられる構成を例示したが、シートクッションが単体で跳ね上げられるものや、シートバックが後方側に倒し込まれた状態でシートクッションと共に跳ね上げられるものであってもよい。また、跳ね上げ方向は、車両側方に限らず、前方や後方であってもよい。また、ガイド構造によりワイヤーを屈曲させた状態にガイドする構成は、ワイヤーをシート高さ方向に屈曲させた状態にガイドする構成に限らず、ワイヤーをシート前後方向に屈曲させた状態にガイドする構成としても適用することができる。
【符号の説明】
【００４２】
１      車両用シート
１０    シートバック
１０Ｆ  バックフレーム
１１    渦巻きバネ
２０    シートクッション（シート本体）
２０Ｆ  クッションフレーム
２０Ｆ１  ブラケット
２０Ｆ２  ブラケット
２０Ｆ３  ブラケット
２０Ｆ３ａ  長孔
２０Ｗ  支持ワイヤー
２０Ｍ  コンターマット
２０Ｐ  クッションパッド
２１    支持板
２１Ａ  ロック装置
２１Ｂ  回転軸
２２    樹脂カバー
２２Ａ  凹部
２３    樹脂シールド
３０    リクライニング装置
３１    解除レバー
３２    伝達機構
３３    操作軸
３４    コネクティングロッド
４０    操作ストラップ
５０    ４節リンク機構（リンク機構）
５０Ａ  附勢バネ
５１    ベースリンク
５１Ａ  ベース部位
５２    揺動リンク
５３    揺動リンク
５４    出力リンク
６０    ワイヤー
６１    一端
６２    他端
７０    ガイド構造
７１    第１固定ガイド（固定ガイド）
７２    第２固定ガイド（追加ガイド）
７３    可動ガイド
７３Ａ  連結軸
７３Ｂ  スパイラルスプリング
７３Ｃ  ピン
Ｆ      フロア
Ｆｓ    ストライカ
θ      屈曲角度
【図１】
0005864269.tif 000002
【図２】
0005864269.tif 000003
【図３】
0005864269.tif 000004
【図４】
0005864269.tif 000005
【図５】
0005864269.tif 000006